(57)【特許請求の範囲】
【請求項１】
片方向の光回線障害時に自動リスタートまでの設定時間の間、光出力を停止し、一定時間の光出力停止解除後に再度光出力を停止するためのＡＬＳ（Ａｕｔｏｍａｔｉｃ  Ｌａｓｅｒ  Ｓｈｕｔｄｏｗｎ）制御の自動リスタート機能を備える接続先に接続するための光インタフェースを含む光回線伝送装置であって、
前記ＡＬＳ制御時の前記自動リスタート機能による対向側装置の光出力停止解除に伴う自局光入力断アラーム解除をマスクして回線障害アラームとして少なくともアラーム転送先の上位監視系に通知するアラーム制御手段を有することを特徴とする光回線伝送装置。
【請求項２】
前記アラーム制御手段は、前記接続先の光出力停止が一定周期で解除されることによる前記光入力断アラームの解除を光回線障害アラーム解除として通知することを抑止することを特徴とする請求項１記載の光回線伝送装置。
【請求項３】
前記アラーム制御手段は、前記光入力断アラーム発生から前記自動リスタートまでの設定時間を計測する手段と、前記自動リスタートの設定時間経過と同時に前記接続先の出力停止解除時間を計測する手段と、前記自動リスタートの設定時間後に前記接続先の光出力停止解除時間分だけ前記光入力断アラームの解除をマスクするマスク手段とを含むことを特徴とする請求項１または請求項２記載の光回線伝送装置。
【請求項４】
前記マスク手段による処理を施した光回線障害アラームを条件としてリンク断制御を実施するリンク断制御手段を含むことを特徴とする請求項３記載の光回線伝送装置。
【請求項５】
前記リンク断制御の信号にしたがってＬＡＮ（Ｌｏｃａｌ  Ａｒｅａ  Ｎｅｔｗｏｒｋ）インタフェースの送受信のリンク断処理を実施するＬＡＮ送受信手段を含むことを特徴とする請求項４記載の光回線伝送装置。
【請求項６】
ＬＡＮ−光変換機能を有するメディアコンバータであることを特徴とする請求項１から請求項５のいずれか記載の光回線伝送装置。
【請求項７】
ユーザインタフェースとして光回線を使用する無線中継装置であることを特徴とする請求項１から請求項３のいずれか記載の光回線伝送装置。
【請求項８】
請求項１から請求項７のいずれかに記載の光回線伝送装置を含むことを特徴とする通信システム。
【請求項９】
片方向の光回線障害時に自動リスタートまでの設定時間の間、光出力を停止し、一定時間の光出力停止解除後に再度光出力を停止するためのＡＬＳ（Ａｕｔｏｍａｔｉｃ  Ｌａｓｅｒ  Ｓｈｕｔｄｏｗｎ）制御の自動リスタート機能を備える接続先に接続するための光インタフェースを含む光回線伝送装置に用いる回線障害通知方法であって、
前記ＡＬＳ制御時の前記自動リスタート機能による対向側装置の光出力停止解除に伴う自局光入力断アラーム解除をマスクして回線障害アラームとして少なくともアラーム転送先の上位監視系に通知するアラーム制御処理を有することを特徴とする回線障害通知方法。
【請求項１０】
前記アラーム制御処理において、前記接続先の光出力停止が一定周期で解除されることによる前記光入力断アラームの解除を光回線障害アラーム解除として通知することを抑止することを特徴とする請求項９記載の回線障害通知方法。
【請求項１１】
前記アラーム制御処理は、前記光入力断アラーム発生から前記自動リスタートまでの設定時間を計測する処理と、前記自動リスタートの設定時間経過と同時に前記接続先の出力停止解除時間を計測する処理と、前記自動リスタートの設定時間後に前記接続先の光出力停止解除時間分だけ前記光入力断アラームの解除をマスクするマスク処理とを含むことを特徴とする請求項９または請求項１０記載の回線障害通知方法。
【請求項１２】
前記マスク処理を施した光回線障害アラームを条件としてリンク断制御を実施するリンク断制御処理を含むことを特徴とする請求項１１記載の回線障害通知方法。
【請求項１３】
前記リンク断制御の信号にしたがってＬＡＮ（Ｌｏｃａｌ  Ａｒｅａ  Ｎｅｔｗｏｒｋ）インタフェースの送受信のリンク断処理を実施するＬＡＮ送受信処理を含むことを特徴とする請求項１２記載の回線障害通知方法。
【請求項１４】
前記光回線伝送装置が、ＬＡＮ−光変換機能を有するメディアコンバータであることを特徴とする請求項９から請求項１３のいずれか記載の回線障害通知方法。
【請求項１５】
前記光回線伝送装置が、ユーザインタフェースとして光回線を使用する無線中継装置であることを特徴とする請求項９から請求項１１のいずれか記載の回線障害通知方法。
【発明の詳細な説明】
【技術分野】
【０００１】
本発明は光回線伝送装置、通信システム及びそれらに用いる回線障害通知方法に関し、特に光回線伝送部分で障害が発生した場合の回線障害通知とそれによる接続先ＬＡＮ（Ｌｏｃａｌ  Ａｒｅａ  Ｎｅｔｗｏｒｋ）インタフェースのリンク断制御に関する。
【背景技術】
【０００２】
ネットワーク中継装置において、光回線伝送部分で障害が発生した場合の回線障害通知とそれによる接続先ＬＡＮインタフェースのリンク断制御とに関する技術は、下記の特許文献１にて提案されている。
【０００３】
この提案されている技術の光回線障害情報通知部分について、図８を参照して説明する。図８において、光受信回路６の光回線障害情報通知部分は、光受信部６１と、光パワーモニタ６２と、リンクコントロール部６３とから構成されている。
【０００４】
光受信部６１は、光回線から入力した光信号を光パワーモニタ６２へ出力する。光パワーモニタ６２は、光パワーが一定値以下になった場合にアラーム信号をリンクコントロール部６３に出力する。リンクコントロール部６３は、光パワーモニタ６２が出力するアラーム信号を一条件としてリンク断制御を実施する。
【０００５】
上記のように、提案されている技術では、入力した光信号のパワーの判定をそのままアラームとしてリンク断制御部分（リンクコントロール部６３）に通知しているので、片方向の光回線障害時にＡＬＳ（Ａｕｔｏｍａｔｉｃ  Ｌａｓｅｒ  Ｓｈｕｔｄｏｗｎ）制御を実施した場合、回線障害が復帰していない状態で出力停止を解除された時にリンクが復帰してしまう。特に、自動リスタート機能を実施した際には、一定周期に、一定時間分、リンク断制御解除を繰り返す状態に陥ってしまう。
【０００６】
また、光回線障害アラームやＬＡＮインタフェースのリンクステータスを上位の監視系に通知する場合、通知するアラーム、ステータスのバタつきが増えると負荷が増大してしまう。
【０００７】
光伝送システムにおいて、光回線の片方向に障害が発生した場合には、光入力断を検出した装置が光出力を停止するＡＬＳ制御機能と、ＡＬＳ制御時に予め設定した時間毎に光出力停止を一定時間解除する自動リスタート機能とがＩＴＵ−Ｔ  Ｒｅｃ．Ｇ．６６４（０３／２００６）で規定されている。
【０００８】
また、ＡＬＳ制御の自動リスタート機能については、以下の特許文献２，３に記載されている。
【特許文献１】特開２０００−３２４１５３号公報
【特許文献２】特開２０００−２２８６３９号公報
【特許文献３】特開２００２−０７７０５６号公報
【発明の開示】
【発明が解決しようとする課題】
【０００９】
本発明に関連する技術では、上記の特許文献１〜３に記載のように、ＡＬＳ制御の自動リスタート機能を使用した通信において、上位の監視系もしくは接続先の機器に回線障害情報を転送する場合に、光入力断アラームを回線障害情報として転送すると、ＡＬＳ制御の自動リスタート機能によって、回線障害が復旧していないにも関わらず、回線障害アラームが一定周期で一定時間解除され、回線障害が復旧するまで回線障害アラームの発動／解除を繰り返す。
【００１０】
例えば、ＬＡＮ−光変換機能を有するメディアコンバータにおいて、光回線断を一条件としてＬＡＮインタフェースのリンク断制御を実施する場合には、光インタフェースの光入力断アラームを光回線断としてＬＡＮインタフェースのリンク断制御を実施すると、光回線断時に光回線が復旧していないにも関わらず、一定周期でリンク断状態となり、一定時間後にリンク断解除という動作を繰り返す。この場合、ＬＡＮインタフェース側では、光回線状態が回線断／回線復旧を繰り返していると、誤認識する恐れがあり、光回線の状態を正確に通知できない。
【００１１】
そこで、本発明の目的は上記の問題点を解消し、ＡＬＳ制御中に光回線状態が回線断／回線復旧を繰り返すという回線障害アラームの不要なバタつきを抑えることができる光回線伝送装置、通信システム及びそれらに用いる回線障害通知方法を提供することにある。
【課題を解決するための手段】
【００１２】
本発明による光回線伝送装置は、片方向の光回線障害時に自動リスタートまでの設定時間の間、光出力を停止し、一定時間の光出力停止解除後に再度光出力を停止するためのＡＬＳ（Ａｕｔｏｍａｔｉｃ  Ｌａｓｅｒ  Ｓｈｕｔｄｏｗｎ）制御の自動リスタート機能を備える接続先に接続するための光インタフェースを含む光回線伝送装置であって、
前記ＡＬＳ制御時の前記自動リスタート機能による対向側装置の光出力停止解除に伴う自局光入力断アラーム解除をマスクして回線障害アラームとして少なくともアラーム転送先の上位監視系に通知するアラーム制御手段を備えている。
【００１３】
本発明による通信システムは、上記の光回線伝送装置を含むことを特徴とする。
【００１４】
本発明による回線障害通知方法は、片方向の光回線障害時に自動リスタートまでの設定時間の間、光出力を停止し、一定時間の光出力停止解除後に再度光出力を停止するためのＡＬＳ（Ａｕｔｏｍａｔｉｃ  Ｌａｓｅｒ  Ｓｈｕｔｄｏｗｎ）制御の自動リスタート機能を備える接続先に接続するための光インタフェースを含む光回線伝送装置に用いる回線障害通知方法であって、
前記ＡＬＳ制御時の前記自動リスタート機能による対向側装置の光出力停止解除に伴う自局光入力断アラーム解除をマスクして回線障害アラームとして少なくともアラーム転送先の上位監視系に通知するアラーム制御処理を備えている。
【発明の効果】
【００１５】
本発明は、上記のような構成及び動作とすることで、ＡＬＳ制御中に光回線状態が回線断／回線復旧を繰り返すという回線障害アラームの不要なバタつきを抑えることができるという効果が得られる。
【発明を実施するための最良の形態】
【００１６】
次に、本発明の実施の形態について図面を参照して説明する。図１は本発明の第１の実施の形態による通信システムの構成例を示すブロック図である。図１において、本発明の第１の実施の形態による通信システムは、ネットワーク中継装置の光受信回路１と、対向側装置の光送信回路２とから構成されている。
【００１７】
ネットワーク中継装置の光受信回路１は、光受信部１１と、光入力断検出回路１２と、アラーム制御回路１３と、リンク断制御回路１４とから構成されている。アラーム制御回路１３は、自動リスタート検出回路１３１と、タイマ回路１３２と、マスク回路１３３とから構成されている。
【００１８】
対向側装置の光送信回路２は、光送信部２１と、ＡＬＳ（Ａｕｔｏｍａｔｉｃ  Ｌａｓｅｒ  Ｓｈｕｔｄｏｗｎ）制御回路２２とから構成されている。ここで、ＡＬＳ制御回路２２のＡＬＳ制御機能については、ＩＴＵ−Ｔ  Ｒｅｃ．  Ｇ．６６４（０３／２００６）にて規定されている。
【００１９】
本実施の形態では、アラーム制御回路１３を追加して、ＡＬＳ制御の自動リスタート時の光入力断解除を、通知するアラーム情報からマスクすることで、光回線障害状態を正しく通知してＬＡＮ（Ｌｏｃａｌ  Ａｒｅａ  Ｎｅｔｗｏｒｋ）インタフェースのリンク断制御のバタつき（光回線１００の状態が回線断／回線復旧を繰り返す状態）を防止するとともに、上位監視系（図示せず）の不要な負荷増大を抑えている。
【００２０】
つまり、本実施の形態では、ＡＬＳ制御の自動リスタート機能を使用する光インタフェースにおいて、自動リスタートによる光入力断解除分をマスクして、回線障害アラームを上位監視系に通知することで、ＬＡＮインタフェースのリンク断制御のバタつき（光回線１００の状態が回線断／回線復旧を繰り返す状態）を防止するとともに、上位監視系の不要な負荷増大を抑えている。
【００２１】
図１において、対向側装置の光送信回路２の出力がＡＬＳ制御機能を有する場合、対向側装置は、入力方向の光回線１００に障害が発生すると、光出力停止制御を実施する。さらに、自動リスタート機能を使用した場合、対向側装置の光送信回路２の出力は、予め設定した自動リスタート設定時間分の出力停止、その直後に一定時間の出力停止解除という動作を光回線１００が復旧するまで周期的に繰り返す。
【００２２】
上記のＡＬＳ制御の自動リスタート機能を使用した場合、図１の自局装置（ネットワーク中継装置）の光受信回路１における光受信部１１で受信した光信号に基づいて光入力断検出回路１２で光入力断を検出し、予め設定した自動リスタート設定時間後の一定時間だけ光入力断アラームが解除される状態を繰り返す。
【００２３】
したがって、光回線障害アラームをリンク断制御の一条件とするＬＡＮインタフェースに対しては、上述した光入力断アラームを光回線障害アラームとしてそのまま通知した場合、光回線１００の障害が復旧していないにも関わらず、ＬＡＮのリンク断制御が周期的にバタつく動作を繰り返す。また、通知するアラームにバタつきが生じることによって、上位監視系の負荷が増大する。
【００２４】
そこで、本実施の形態では、ＡＬＳ制御の自動リスタートによる光回線障害アラームのバタつきと、それに伴う接続先ＬＡＮインタフェースのリンク断制御のバタつきとを抑圧するために、ＡＬＳ制御の自動リスタートによる光入力断アラーム解除をマスクして回線障害アラーム信号を生成し、それを転送先に通知する。
【００２５】
アラーム制御回路１３においては、自動リスタート検出回路１３１が光入力断アラーム信号のノーマルからアラームへの変化点を検出して、内部カウンタによって光入力断アラーム発生から予め設定した自動リスタート設定時間までをカウントする。また、自動リスタート検出回路１３１は、光入力断アラーム発生から自動リスタート設定時間が経過した時点で、自動リスタート設定時間経過を通知するタイマ制御信号を生成してタイマ回路１３２に出力する。
【００２６】
タイマ回路１３２は、予め設定した自動リスタート設定時間が経過した時点で、光入力断アラーム解除分の一定時間をカウントし、自動リスタートによる光入力断解除の間だけマスク制御を実施するためのマスク制御信号を生成してマスク回路１３３に出力する。
【００２７】
マスク回路１３３は、上記のマスク制御信号にしたがって光入力断アラーム信号から自動リスタートによるアラーム解除をマスクして、リンク断制御回路１４と上位監視系（図示せず）とに転送用回線障害アラーム信号を出力する。リンク断制御回路１４は、ＡＬＳ制御の自動リスタートによる光入力断解除をマスクした回線障害アラームを条件としてＬＡＮインタフェースのリンク断制御を実施するため、回線障害が復旧するまでリンク断状態を維持する。
【００２８】
このように、本実施の形態では、ＡＬＳ制御時の自動リスタート機能による対向側装置の光出力停止解除に伴う自局光入力断アラーム解除をマスクして回線障害アラームとして転送先に通知しているので、接続先のＬＡＮインタフェースのリンク断制御において、ＡＬＳ制御の自動リスタート機能による不要なリンク断解除を避けることができると共に、回線障害アラームを通知する上位監視系の負荷を軽減することができる。
【００２９】
図２は本発明の第２の実施の形態による通信システムの構成例を示すブロック図である。図２においては、本発明の第２の実施の形態による通信システムの一例として、ＬＡＮ−光変換機能を有するメディアコンバータ３ａ，３ｂからなるシステムを示している。尚、図２には、メディアコンバータ３ａのみの構成を示しているが、メディアコンバータ３ｂの構成はメディアコンバータ３ａと同じ構成なので省略している。
【００３０】
メディアコンバータ３ａは、光受信部１１と、光入力断検出回路１２と、アラーム制御回路１３と、リンク断制御回路１４と、光送信部２１と、ＡＬＳ制御回路２２と、ＬＡＮ送受信部３１と、ＬＡＮ−光変換部３２と、光−ＬＡＮ変換部３３と、ＬＥＤ（Ｌｉｇｈｔ  Ｅｍｉｔｔｉｎｇ  Ｄｉｏｄｅ）３４と、ＬＥＤ制御回路３５とから構成されている。ＬＡＮ送受信部３１は、ＬＡＮ受信部３１１と、ＬＡＮ送信部３１２とからなる。
【００３１】
メディアコンバータ３ａのＬＡＮ受信部１３１は、ＬＡＮインタフェースに入力されたＬＡＮ信号を受信し、ＬＡＮ−光変換部３２でＬＡＮ信号を光信号に変換する。光送信部２１は、ＬＡＮ−光変換部３２で変換された光信号を光回線１００へ送信する。
【００３２】
次に、メディアコンバータ３ａの光受信部１１は、光回線１００を経由して伝送される光信号を受信し、受信した光信号を光−ＬＡＮ変換部３３でＬＡＮ信号に変換する。ＬＡＮ送信部３１１は、変換したＬＡＮ信号を入力してＬＡＮインタフェース側へ送出する。
【００３３】
光入力断検出回路１２は、光受信部１１で受信した光信号のレベル判定を行い、判定結果として光入力断アラーム信号を生成してアラーム制御回路１３とＡＬＳ制御回路２２とに送出する。アラーム制御回路１３は、光入力断アラーム信号にＡＬＳ制御の自動リスタートによる光入力断解除をマスクした転送用回線障害アラーム信号を生成し、リンク断制御回路１４と上位監視系（図示せず）とに通知する。
【００３４】
リンク断制御回路１４は、転送用回線障害アラーム信号を一条件としてリンク断制御信号を生成し、ＬＡＮ送受信部３１へ出力する。ＬＡＮ送受信部３１は、入力したリンク断制御信号にしたがってＬＡＮ送受信部３１のリンク断制御を行うと共に、ＬＡＮインタフェースのリンク状態を判別した結果であるリンク判定信号をＬＥＤ制御回路３５と上位監視系とに出力する。
【００３５】
ＬＥＤ制御回路３５は、リンク判定信号にしたがってＬＥＤ制御信号を生成し、ＬＥＤ３４へ出力する。ＬＥＤ３４は、ＬＥＤ制御信号にしたがってＬＥＤの点灯／消灯を実施する。
【００３６】
また、ＡＬＳ制御回路２２は、光入力断アラーム信号にしたがってＡＬＳ制御信号を生成し、光送信部２１へ送出する。光送信部２１は、ＡＬＳ制御信号にしたがって光出力制御を実施する。
【００３７】
図３は図２に示すアラーム制御回路１３の構成を示すブロック図である。図３において、アラーム制御回路１３は、上記の図１に示すアラーム制御回路１３と同様に、自動リスタート検出回路１３１と、タイマ回路１３２と、マスク回路１３３とから構成されている。
【００３８】
自動リスタート検出回路１３１は、光入力断アラーム信号を入力し、光入力断アラーム発生から自動リスタート設定までの時間をカウントしてタイマ制御信号をタイマ回路１３２に出力する。ここで、自動リスタート検出回路１３１に外部から入力される自動リスタート設定とは、対向側装置のＡＬＳ制御による光出力停止から自動リスタートによる光出力停止解除が開始されるまでの時間設定である。
【００３９】
タイマ回路１３２は、タイマ制御信号にしたがってマスク制御信号を生成し、マスク回路１３３へ送出する。マスク回路１３３は、マスク制御信号にしたがって光入力断アラーム信号にマスク処理を実施し、転送用回線障害アラーム信号を出力する。
【００４０】
図４は図３に示す自動リスタート検出回路１３１の構成を示すブロック図である。図４において、自動リスタート検出回路１３１は、エッジ検出回路１３１１と、カウンタ回路１３１２と、比較回路１３１３とから構成されている。
【００４１】
エッジ検出回路１３１１は、入力する光入力断アラーム信号のノーマルからアラームへの変化点を検出してカウンタ動作制御信号を生成する。カウンタ回路１３１２は、カウンタ動作制御信号にしたがってカウントしたカウンタ値を比較回路１３１３に出力する。
【００４２】
比較回路１３１３は、カウンタ回路１３１２が出力するカウンタ値と予め設定した自動リスタート設定値とを比較し、それらが一致した時にのみタイマ制御を開始するための通知としてタイマ制御信号を出力する。
【００４３】
これら図２〜図４を参照して本実施の形態による通信システムの動作について説明する。本実施の形態は、ＬＡＮインタフェースのリンク断制御の一条件として光回線障害アラームを使用するＬＡＮ−光メディアコンバータ３ａ，３ｂである。
【００４４】
メディアコンバータ３ａからメディアコンバータ３ｂの方向の光回線１００に障害が発生して回線断状態となった場合、メディアコンバータ３ｂの光受信部１１に入力された光信号は、光入力断検出回路１２でレベル判定される。光入力断検出回路１２は、レベル判定結果として光入力断アラーム信号をＡＬＳ制御回路２２とアラーム制御回路１３とに送出する。
【００４５】
ここで、ＡＬＳ制御回路２２は光入力断アラーム信号を入力し、光入力断の場合、ＩＴＵ−Ｔ  Ｒｅｃ．  Ｇ．６６４（０３／２００６）で規定されたＡＬＳ制御の自動リスタート機能を実行するためのＡＬＳ制御信号を生成する。
【００４６】
光送信部２１は、ＡＬＳ制御回路２２が出力するＡＬＳ制御信号にしたがって自動リスタートまでの設定時間の間、光出力を停止し、一定時間の光出力停止解除後に再度光出力を停止する。光出力が再停止した時点で、再度、同一のＡＬＳ制御の自動リスタートが繰り返されるので、光出力は自動リスタート設定時間の間だけ出力を停止し、その後、一定時間だけ出力する動作を繰り返す。
【００４７】
次に、回線障害の発生した光回線の反対方向の光入力側の動作について説明する。メディアコンバータ３ａの光受信部１１は、入力した光信号を光入力断検出回路１２へ出力する。光入力断検出回路１２は、光受信部１１で受信した光信号のレベル判定を行い、光入力断のアラーム通知を光入力断アラーム信号として出力する。ここで、光入力断検出回路１２が出力する光入力断アラーム信号は、上記のメディアコンバータ３ｂの光出力制御によって自動リスタート設定時間の間は入力断、直後の一定時間の間だけ光入力断解除という状態を繰り返す。
【００４８】
アラーム制御回路１３は、マスク回路１３３と自動リスタート時間検出回路１３１とに上記の光入力断アラーム信号を出力する。自動リスタート検出回路１３１に入力された光入力断アラーム信号は、エッジ検出回路１３１１に出力される。エッジ検出回路１３１１は、入力した光入力断アラーム信号がノーマルからアラームに変わる変化点及びアラームからノーマルに変わる変化点を検出し、検出結果をカウンタ動作制御信号としてカウンタ回路１３１２に通知する。
【００４９】
カウンタ回路１３１２は、入力したカウンタ動作制御信号を基に、光入力断アラームのノーマルからアラームの変化点検出でカウンタアップを開始し、光入力断アラームのアラームからノーマルの変化点でカウンタをリセットして停止する。比較回路１３１３はカウンタ回路１３１２から入力するカウンタ値と自動リスタート設定値との比較を行い、カウンタ値と自動リスタート設定値とが一致した時にのみタイマ制御信号を出力してタイマ計測開始通知を行うと共に、カウンタ回路１３１２へリセット信号を出力する。カウンタ回路１３１２は上記のカウンタ動作に加えて、リセット信号を入力した時にもカウンタをリセットして停止する。
【００５０】
タイマ回路１３２は入力したタイマ制御信号のタイマ計測開始通知を検出した場合にのみ、メディアコンバータ３ｂの光出力自動リスタート時に出力される一定時間、すなわちメディアコンバータ３ａの光入力断が一時的に解除される時間を内部カウンタでカウントアップし、一定時間分をカウントアップするまでのマスク処理指示をマスク制御信号としてマスク回路１３３へ送出する。
【００５１】
マスク回路１３３は、光入力断アラーム信号とマスク制御信号とを入力し、マスク制御信号がマスク処理を指示した時にのみ、光入力断アラーム信号をアラーム状態に固定して転送用回線障害アラーム信号として出力する。
【００５２】
図５は本発明の第２の実施の形態における光回線障害発生前後の動作を示すタイムチャートであり、図６は本発明の第２の実施の形態における光回線復帰前後の動作を示すタイムチャートである。これら図５及び図６を参照して、上記のカウンタ回路１３１２及びタイマ回路１３２の内部カウンタ動作と光入力断アラーム及び転送用回線障害アラームの動作とについて説明する。
【００５３】
カウンタ回路１３１２の内部カウンタは、光回線障害発生前の正常状態ではカウンタ値「０」で動作を停止している。カウンタ回路１３１２の内部カウンタは、光回線障害が発生して光入力断アラームがノーマルからアラームに変化した時点でカウントアップを開始し、自動リスタート設定時間が経過した時点でカウンタ値を「０」にリセットしてカウンタ動作を停止する。
【００５４】
カウンタ回路１３１２の内部カウンタは、カウンタ動作の停止後、自動リスタートによる出力停止解除時間が経過して光入力断アラームが再度ノーマルからアラームに変化した時点でカウントアップを開始し、以降、回線が復帰するまで同様の動作を繰り返す（図５参照）。
【００５５】
次に、タイマ回路１３２の内部カウンタは、光回線に障害が発生して自動リスタート設定時間が経過するまではカウンタ値「０」で動作を停止している。タイマ回路１３２の内部カウンタは、自動リスタート設定時間が経過した時点でカウントアップを開始し、自動リスタートによる出力停止解除時間が経過した時点でカウンタ値を「０」にリセットして動作を停止する。タイマ回路１３２の内部カウンタは、以降、回線復帰するまで同様の動作を繰り返す（図５参照）。
【００５６】
自動リスタート中に回線復帰した場合［図６（ａ）参照］、カウンタ回路１３１２の内部カウンタは、光入力断アラームのノーマル状態が継続するため、カウンタ値「０」の停止状態を維持する。タイマ回路１３２の内部カウンタは、自動リスタートによる出力停止解除時間分のカウントを継続し、出力停止解除時間分のカウントが完了した時点でカウンタ値を「０」にリセットして動作を停止する。転送用回線障害アラームは、自動リスタートによる出力停止解除時間まではアラーム状態を継続し、出力停止解除時間が経過した時点でノーマル状態へ変化する。
【００５７】
次に、自動リスタート外に回線復帰した場合［図６（ｂ）参照］、カウンタ回路１３１２の内部カウンタは、光入力断アラームがアラームからノーマルに変化した時点でカウンタ値を「０」にリセットしてカウンタ動作を停止する。タイマ回路１３２の内部カウンタは、自動リスタート設定時間の経過を検出しないため、カウンタ値「０」を継続する。
【００５８】
以上のように、本実施の形態では、ＡＬＳ制御の自動リスタート機能の出力停止解除をマスクすることによって、回線復帰していない状態でのアラームのバタつきを排除した転送用回線障害アラーム信号を送出することができる。
【００５９】
図２において、アラーム制御回路１３は、内部のタイマ回路１３２が出力する転送用回線障害アラーム信号をリンク制御回路１４と上位監視系とに出力する。リンク断制御回路１４は、転送用回線障害アラーム信号をリンク断制御の一条件としてその他のリンク断条件信号とのＯＲ論理をとった結果のリンク断制御信号をＬＡＮ送受信部３１へ出力する。
【００６０】
ＬＡＮ送受信部３１は、リンク断制御信号にしたがってＬＡＮインタフェースの送受信のリンク断処理を実施し、ＬＡＮインタフェースのリンク状態を検出してリンクステータスを示すリンク検出信号をＬＥＤ制御回路３５と上位監視系とに出力する。
【００６１】
ＬＥＤ制御回路３５は、リンク検出信号にしたがってリンク確立時にＬＥＤ３４の点灯、リンク断時にＬＥＤ３４の消灯制御を実施するためのＬＥＤ制御信号を出力する。ＬＥＤ３４はＬＥＤ制御信号にしたがって点灯／消灯を実施する。
【００６２】
このようにして、本実施の形態では、アラーム制御回路１３にてＡＬＳ制御の自動リスタート時の光入力断アラーム解除をマスクすることによって、通知する回線障害アラーム信号のアラームのバタつきを抑圧することで、上位監視系へ通知する回線障害アラームのバタつきを防止して負荷を軽減するとともに、接続先のＬＡＮインタフェースのリンク断制御のバタつきの回避と、それに伴うＬＡＮインタフェースのリンクステータスを収集する上位監視系の負荷の軽減とを実現することができる。
【００６３】
上記のように、本実施の形態では、メディアコンバータ３ａ，３ｂにおいて光回線のＡＬＳ制御の自動リスタート機能動作時の対向側装置出力停止解除による自局光入力断アラーム解除をマスクすることによって、ＡＬＳ制御中に回線障害アラームの不要なバタつきを抑えることができ、回線障害アラームを通知する上位監視系の負荷を軽減することができるとともに、ＬＡＮインタフェースのリンク断制御を実施するシステムにおいて、光回線障害によるリンク断制御の不要なバタつきを回避することができる。
【００６４】
また、本実施の形態では、リンク断制御の不要なバタつきの回避によって、ＬＡＮインタフェースのリンクステータスのバタつきも抑えられるため、リンクステータス通知先の上位監視系の負荷を軽減することができる。
【００６５】
図７は本発明の第３の実施の形態による通信システムの構成例を示すブロック図である。図７には、ユーザインタフェースとして光回線を使用する無線中継装置４及び無線対向側装置５からなる通信システムを示している。
【００６６】
図７において、無線中継装置４は、光受信部１１と、光入力断検出回路１２と、アラーム制御回路１３と、光送信部２１と、ＡＬＳ制御回路２２と、信号多重部４１と、無線送信部４２と、無線受信部４３と、信号抽出部４４とから構成されており、無線回線を介して無線対向側装置５に接続される。
【００６７】
無線中継装置４では、ユーザインタフェースとしての光回線に障害が発生して接続先装置（図示せず）がＡＬＳ制御の自動リスタート機能を実施した場合、前上述したアラーム制御回路１３を使用して生成した転送用回線障害アラーム信号を信号多重部４１で主信号に多重して無線送信部４２から無線回線へ送信する。
【００６８】
このように、本実施の形態では、無線対向側装置５へ転送する自局回線障害アラームのＡＬＳ制御時のアラームバタつきを回避することができるとともに、無線対向側装置５の上位監視系の負荷を軽減させることが可能になる。
【００６９】
上記のように、本発明は、光回線にＡＬＳ制御機能を有するネットワーク中継装置において、光回線の片方向に障害が発生して逆方向光出力停止とともに、自動リスタート機能を実行する場合に、光回線障害アラームのバタつきを抑圧することで、接続先のＬＡＮリンク断制御のバタつき防止と、上位監視系の負荷軽減とを実現することを特徴とする。
【００７０】
本発明では、ＡＬＳ制御の自動リスタート機能使用時に対向側装置の光出力停止が一定周期で解除されることによる自局光入力断アラーム解除を光回線障害アラーム解除として通知しないために、光回線が復旧するまで光入力断アラームから自動リスタートによる入力断解除分をマスクして光回線障害アラームを通知する。
【００７１】
上記のマスク制御は、上述したアラーム制御回路１３において行う。光入力断アラーム発生から自動リスタートまでの設定時間は、自動リスタート検出回路１３１の内部カウンタで計測し、自動リスタート設定時間経過と同時にタイマ回路１３２の内部カウンタで対向側装置の出力停止解除時間を計測する。マスク回路１３３は、自動リスタート設定時間後に対向側装置の光出力停止解除時間分だけ光入力断アラーム解除をマスクする。リンク断制御回路１４は、上記のマスク処理を施した光回線障害アラーム信号を条件としてリンク断制御を実施する。
【００７２】
このように、本発明では、ＡＬＳ制御の自動リスタート機能による対向側装置の出力停止解除までの設定時間後に、光出力停止解除時間分のマスク制御を実施することで、光回線障害アラーム転送先のＬＡＮインタフェースにおけるＡＬＳ制御自動リスタート時の一時的なリンク断解除を回避するとともに、上位監視系の負荷を軽減することが可能となる。
【産業上の利用可能性】
【００７３】
本発明は、光回線を使用するネットワークやユーザインタフェースとして光回線を使用するネットワークに用いられる中継装置に適用可能である。
【図面の簡単な説明】
【００７４】
【図１】本発明の第１の実施の形態による通信システムの構成例を示すブロック図である。
【図２】本発明の第２の実施の形態による通信システムの構成例を示すブロック図である。
【図３】図２に示すアラーム制御回路の構成を示すブロック図である。
【図４】図３に示す自動リスタート検出回路の構成を示すブロック図である。
【図５】本発明の第２の実施の形態における光回線障害発生前後の動作を示すタイムチャートである。
【図６】本発明の第２の実施の形態における光回線復帰前後の動作を示すタイムチャートである。
【図７】本発明の第３の実施の形態による通信システムの構成例を示すブロック図である。
【図８】本発明に関連する技術の光回線障害情報通知部分を示すブロック図である。
【符号の説明】
【００７５】
１  光受信回路
２  光送信回路
３ａ，３ｂ  メディアコンバータ
４  無線中継装置
５  無線対向側装置
１１  光受信部
１２  光入力断検出回路
１３  アラーム制御回路
１４  リンク断制御回路
２１  光送信部
２２  ＡＬＳ制御回路
３１  ＬＡＮ送受信部
３２  ＬＡＮ−光変換部
３３  光−ＬＡＮ変換部
３４  ＬＥＤ
３５  ＬＥＤ制御回路
４１  信号多重部
４２  無線送信部
４３  無線受信部
４４  信号抽出部
１００  光回線
１３１  自動リスタート検出回路
１３２  タイマ回路
１３３  マスク回路
３１１  ＬＡＮ受信部
３１２  ＬＡＮ送信部
１３１１  エッジ検出回路
１３１２  カウンタ回路
１３１３  比較回路
【図１】
0005104181.tif 000002
【図２】
0005104181.tif 000003
【図３】
0005104181.tif 000004
【図４】
0005104181.tif 000005
【図５】
0005104181.tif 000006
【図６】
0005104181.tif 000007
【図７】
0005104181.tif 000008
【図８】
0005104181.tif 000009